(57)【特許請求の範囲】
【請求項１】
建物の壁面に固定される竪樋に介設されて、雨水を取水する竪樋用集水装置であって、
竪樋の一部をなす筒状本体部と、該筒状本体部の側面に開口する集水口から側方へ延びて貯水容器に雨水を導く集水路と、上記集水口に回動自在に設けられて上記集水路を開閉する開閉部材と、上記開閉部材を上記集水路を閉じる方向に動作させて、上記貯水容器への導水を停止する集水停止手段とを備えており、
上記開閉部材を、上記集水路が開いた時に上記開閉部材の一端側が上記筒状本体部内に突出して上記集水路へ雨水を導くように構成するとともに、
上記開閉部材が通常状態で開となるように力を作用させる付勢部材を設け、
上記集水停止手段が、上記貯水容器内に配設したフロート部材と、一端が上記フロート部材に連結し他端が上記開閉部材の上記一端側に連結されて上記フロート部材の動きを上記開閉部材に伝達する線状部材と、上記筒状本体部の側面に上記線状部材を外部に取り出すために設けられる貫通穴を有して、
上記貯水容器が所定の貯水量を超えた時に上記フロート部材とともに押し上げられる上記線状部材が上記開閉部材を上記集水路を閉じる方向に動作させることを特徴とする竪樋用集水装置。
【請求項２】
上記貯水容器に、所定の貯水量を超えるまで上記フロート部材を支持する支持部材を設置した請求項１記載の竪樋用集水装置。
【請求項３】
上記竪樋は上下に分離され、上記竪樋用集水装置の上記筒状本体部は、上端が上側の竪樋の分離端部に嵌合される第１の筒状部と、下端が下側の竪樋の分離端部に嵌合される第２の筒状部とからなり、上記第１の筒状部と上記第２の筒状部をこれらの対向端で互いに嵌合せしめた請求項１または２記載の竪樋用集水装置。
【請求項４】
上記集水路に沿って上記線状部材を案内する案内部材を設けた請求項１ないし３のいずれか記載の竪樋用集水装置。
【発明の詳細な説明】
【０００１】
【発明の属する技術分野】
本発明は、建物の竪樋から流下する雨水を集めるために用いられる集水装置に関し、特に、貯水容器の貯水量が一定量を超えた時に自動的に取水を停止する機構を備えた竪樋用集水装置に関するものである。
【０００２】
【従来の技術】
雨水は、建物の屋根面を流れて軒樋に入り、呼び樋から竪樋内を通過して排水される。近年、この雨水を有効利用するために、樋の途中に取水用の装置を設置することが提案されており、例えば、特開２００１−２０７４８５には、竪樋の中間部分に施工される取水器が開示されている。この取水器は、竪樋に嵌め込まれて使用される筒状体の側部に開口部を設け、該開口部にこれを開閉する取水板を回動自在に設けてなる。取水板は半円筒状で、基端部は竪樋の内部に差し込まれており、先端部には開いた状態で下方に傾斜する傾斜部が延設されている。
【０００３】
従って、竪樋から雨水を取り出したい時には、取水板を回動させて、開口部を開けることにより、取水板の基端部が竪樋を流れ落ちる雨水を受け、先端側の傾斜部から雨水を側方に導いて、容器等に貯水することができる。取水を停止する時には、取水板を元の位置に戻して、開口部を閉鎖する。これにより、大掛かりな装置を用いずに、竪樋からの取水が可能になる。
【０００４】
【発明が解決しようとする課題】
しかしながら、上記従来の装置は、ホースを接続してバケツ等の小容量の容器に簡易に貯水するためのもので、開口部を開閉する取水板をその度に手動で開閉操作しなければならない。このため、貯水槽等の比較的容量の大きい容器に適用しようとした場合には、容量を越えないように貯水量を監視して適当な時期に集水を停止する必要があり、放置すると、雨水が溢れてしまう。また、竪樋への取り付け場所が、取水板の手動操作が可能な部位に制限される不具合があった。
【０００５】
そこで、本発明は、容器の容量や雨量によらず、満水となった時に集水を自動的に停止する機構を備え、設置場所等が制約されたり、貯水量を監視する必要がなく、放置しても雨水が溢れてしまう懸念がない竪樋用集水装置を提供することを目的とするものである。
【０００６】
【課題を解決するための手段】
上記課題を解決するための本発明請求項１の発明は、建物の壁面に固定される竪樋に介設されて、雨水を取水する竪樋用集水装置であって、竪樋の一部をなす筒状本体部と、該筒状本体部の側面に開口する集水口から側方へ延びて貯水容器に雨水を導く集水路と、上記集水口に回動自在に設けられて上記集水路を開閉する開閉部材と、上記開閉部材を上記集水路を閉じる方向に動作させて、上記貯水容器への導水を停止する集水停止手段とを備えている。
上記開閉部材は、上記集水路が開いた時に上記開閉部材の一端側が上記筒状本体部内に突出して上記集水路へ雨水を導くように構成され、上記開閉部材が通常状態で開となるように力を作用させる付勢部材が設けられる。
上記集水停止手段は、上記貯水容器内に配設したフロート部材と、一端が上記フロート部材に連結し、他端が上記開閉部材の上記一端側に連結されて上記フロート部材の動きを上記開閉部材に伝達する線状部材と、上記筒状本体部の側面に上記線状部材を外部に取り出すために設けられる貫通穴を有しており、上記貯水容器の貯水量が所定量を超えた時に上記フロート部材が上昇するのに伴い上記線状部材を介して上記開閉部材を上記集水路を閉じる方向に動作させるようになっている。
【０００７】
上記構成において、上記貯水容器が所定の貯水量を超えると、上記フロート部材が浮き上がり、貯水量が上昇するの伴って押し上げられる。これにより、上記上記線状部材を介して上記開閉部材が上記フロート部材方向に引っ張られ、上記集水路を閉じる。このように、本発明によれば、満水時に集水を自動的に停止することができるので、容器の容量や雨量に応じて貯水量を監視する必要がなく、放置しても雨水が溢れることがない。よって、貯水容器や設置場所等の選択の自由度が大きく、実用性の高い集水装置が得られる。
【０００８】
具体的には、上記開閉部材を、上記集水口に回動自在に設け、上記集水路を開いた時に上記開閉部材の一端側が上記筒状本体部内に回動して突出するようにしたので、上記集水路への導水が容易になる。そして、上記筒状本体部内に回動する上記開閉部材の一端側に上記線状部材を連結し、上記筒状本体部の側面に貫通穴を設けて、この貫通穴から上記線状部材を外部に取り出すようにすることで、上記貯水容器内に配設される上記フロート部材に、上記線状部材を容易に接続することができる。
さらに、上記開閉部材が通常状態で開となるように力を作用させる付勢部材を設けると、満水時以外には、上記集水路が開いた状態となる。例えば、上記貯水容器の雨水を使用して上記フロート部材が初期位置に戻ると、上記開閉部材が上記付勢部材によって開となるので、集水を自動的に再開することができる。
【０００９】
請求項２のように、上記貯水容器に、所定の貯水量を超えるまで上記フロート部材を支持する支持部材を設置することもできる。これにより、上記貯水容器が空の時に、上記フロート部材の重力が上記線状部材および上記開閉部材に作用しないようにすることができる。
【００１０】
請求項３のように、具体的には、上記竪樋を上下に分離し、上記竪樋用集水装置の上記筒状本体部が、上端が上側の竪樋の分離端部に嵌合される第１の筒状部と、下端が下側の竪樋の分離端部に嵌合される第２の筒状部とからなり、上記第１の筒状部と上記第２の筒状部をこれらの対向端で互いに嵌合せしめた構成することができる。この構成では、例えば、上記第１の筒状部を竪樋に外挿しておき、上記第２の筒状部を装着した後、両筒状部を嵌着することで、竪樋への施工が容易になり、実用的である。
【００１２】
請求項４のように、上記集水路に沿って上記線状部材を案内する案内部材を設けると、上記線状部材が容易に設置でき、また、上記集水停止手段による上記開閉部材の動作がスムーズにできる。
【００１３】
【発明の実施の形態】
以下、図面に基づいて本発明の第１の実施の形態を説明する。図１は、本発明の竪樋用集水装置の全体構成図で、集水装置１は、竪樋Ｔの一部をなす筒状本体部２を構成する第１の筒状部２１および第２の筒状部２２（以下、筒状部２１、２２という）と、筒状部２２から側方に延びる集水管３と、筒状部２２と集水管３の間を開閉するための開閉部材４とを有している。集水管３には、延長管５、６が接続されており、Ｔ字状に屈曲する延長管６の先端部は、貯水容器としての貯水槽７内に挿置されている。これら集水管３および延長管５、６が集水路を構成している。次に、装置各部の詳細を示す。
【００１４】
図２（ａ）、（ｂ）に示すように、竪樋Ｔは、集水装置１の取り付けのためにその一部を予め切除して上下に分離してあり、筒状部２１は、竪樋Ｔの上方の分離端部Ｔ１に下方から外挿され、筒状部２２は、やや小径とした下端部が、竪樋Ｔの下方の分離端部Ｔ２に嵌着されている。切除された竪樋Ｔの一部は、例えば、延長管５として利用することができる。筒状部２１と筒状部２２は、筒状部２１下端の小径部２３を、筒状部２２の上部開口内に嵌着することにより固定される。ここで、図３のように、筒状部２１の小径部２３には側面に突起２４が形成してあり、一方、筒状部２２の側面には、図４（ａ）、（ｂ）のように、該突起２４の対向位置に嵌合穴２５が設けられて、これら突起２４と嵌合穴２５が凹凸嵌合することにより位置固定されるようになっている（図２（ａ）、（ｂ）参照）。また、筒状部２１は下端縁２３ａを内向きに屈曲加工して、流下する雨水が中央に集まりやすいようにしている。
【００１５】
図４（ａ）、（ｂ）において、下方の筒状部２２には、側面に集水口２６となる開口が設けられるとともに、該集水口２６から側方に突出する集水菅３が一体に設けられている。集水菅３は、雨水が流れやすいように下方へ向けてやや傾斜させて設けられ、先端部３１は、延長管５を接続するためにやや肉厚の段付部となっている。集水菅３内には、下部内壁に沿う半円弧状断面の開閉部材４が回動自在に設置され、その一端は、筒状部２２の集水口２６と反対側の内側面近傍に達している。開閉部材４は、軸方向の中央部裏面に突設した軸孔４１に、軸部材４２を挿通して回動するようになっており、軸部材４２の両端は集水菅３の管壁に回動自在に固定されている。開閉部材４の集水菅３側の端部裏面には、付勢部材としての板状の重り部材４３が接合してあり、これによって、開閉部材４は、図に実線で示す通常状態において、集水口２６を開放する位置に付勢される。この時、開閉部材４の集水菅３内に位置する長さが、筒状部２２内に位置する長さよりも長くなるようにすると、より開方向に移動しやすくなる。好ましくは、付勢部材として重り部材４３に加えて、バネ部材４３´を、開閉部材４の裏面中央部と筒状部２２内壁面との間に設けるとよく、より確実に開位置に復帰させることができる。付勢部材をバネ部材４３´のみとすることもできる。
【００１６】
開閉部材４の筒状部２２側の端部裏面には、係止部４４が突設してあり、図２（ａ）のように、該係止部４４にワイヤ８または釣り糸等の線状部材の一端が連結されている。ワイヤ８の他端は、筒状部２２の側面に形成した貫通穴２７を通って外部へ導かれ、集水管３の先端部３１外表面に突設した案内部材としての案内穴３２と、延長管５、６の外表面に設置される複数の案内穴３２（図１参照）を通って、延長管６先端まで延びている。延長管５の案内穴３２は、着脱可能な案内部材３３に一体に設けてあり、案内部材３３は、例えば、所定長のバネ材を略Ｃ字状に曲げ加工してその開口部を開閉することにより、延長管５の外周に嵌着する構成とすることができる。延長管５を、竪樋Ｔの切除した一部で構成する場合には、このようにすると、案内穴３２の設置が容易になる。なお、集水路に沿って設ける案内穴３２の総数、設置間隔等は、必要に応じて任意に設定することができる。
【００１７】
図５（ａ）、（ｂ）のように、Ｌ字状の延長管６内は、屈曲部の下方に配設した隔壁６１によって、延長管５に接続される上部管６２とフロート部材８１が収容される下部管６３とに区画されている。隔壁６１は、集水路となる上部管６２に流入する雨水の流れが下り傾斜するように設置され、その下り側の端部に近い上部管６２側壁に、雨水を貯水槽７に導くための開口部６４が形成してある。一方、延長管６の下部管６３は、先端面（下端面）の対向端縁間に、フロート部材８１を支持する矩形板状の支持部材８３が架設されており、該支持部材８３中央に、側壁に固定した小径のＪ字管８２の先端が開口している。下部管６３内空間は、先端面に設けた連通口８４によって、貯水槽７内空間と連通している。これにより、貯水槽７の貯水量が多くなると、連通口８４を通って下部管６３内に貯水槽７の雨水が流入することになる。なお、Ｊ字管８２上方の、下部管６３上端部側面には、矩形の開口６５が形成してあり、導水時に、下部管６３内の空気抜き穴として機能する。
【００１８】
延長管５、６の管壁に沿って配設されたワイヤ８の先端は、案内部材となるＪ字管８２内を通って下部管６３内に至り、球状のフロート部材８１底部の留め具８１ａに連結されている。このように、Ｊ字管８２を用いて下部管６３への連結部にア−ルを設けていることで、管内を通るワイヤ８に縒りが生じにくくなり、ワイヤ８を介した開閉部材４の動きがスムーズになる。また、留め具８１ａを、自在に回転する猿環で構成すると、縒りや糸絡みを防止する効果が高く好ましい。Ｊ字管８２のア−ルの底部に水抜き用の穴８２ａを貫設してもよい。
【００１９】
ワイヤ８とフロート部材８１は、満水時に開閉部材４を閉じる集水停止手段を構成している。開閉部材４が集水口２６を開いている通常状態にある時、フロート部材８１は、支持部材８３上に支持されており、フロート部材８１の重力がワイヤ８を介して開閉部材４に作用しないようになっている。また、ワイヤ８は、開閉部材４が集水口２６を開放している状態で、閉鎖方向への力を受けず、緩みもほとんど生じない程度となるように、長さが調節されている。従って、貯水槽７が満水近くなり、連通口８４から下部管６３内に雨水が流入すると、流入量の上昇に伴い、フロート部材８１が浮き上がる。これにより、ワイヤ８が開閉部材４を下方に引っ張り、開閉部材４が回動して開口部２６を閉鎖する。ここで、下部管６３の管径はフロート部材８１よりやや大きい程度に設定してあり、フロート部材８１の横方向への動きが規制されて、速やかに下部管６３内を上昇するようになっている。
【００２０】
延長管６は、Ｊ字管８２の上端部に固定した取付部材７１によって、貯水槽７に取り付けられる。図６は取付部材７１の詳細図で、取付部材７１は、貯水槽７に取り付けるための凹部７２と、Ｊ字管８２に固定するための縦溝７４を有し、縦溝７４内にＪ字管８２を挟持してねじ締めするようになっている。貯水槽７へは、図１に示すように、凹部７２を貯水槽７の上縁部に嵌合し、側部に設けた取付穴７３にねじ部材７５を挿通して締め付けることにより固定される。なお、貯水槽７が、上端縁に内方に突出するフランジを有する形状である場合には、取付部材７１の上面に設けた縦溝７４´をＪ字管８２に固定し、凹部７２を、貯水槽７のフランジを上下から挟むように配置してねじ締めすることで、取り付けができる。
【００２１】
上記構成の竪樋用集水装置１を、竪樋Ｔに施工する手順は、以下のようにする。まず、集水装置１を取り付けるために、既存の竪樋Ｔの一部を筒状部２１、２２の取り付け長さより短く切除する（図２参照）。次いで、集水装置１の筒状部２１を、竪樋Ｔの上方の分離端部Ｔ１外周に下方から外挿する一方、筒状部２２の下端小径部を下方の分離端部Ｔ２内に嵌着する。この時、下端小径部を、分離端部Ｔ１下端縁に当接するまで上方に引き上げることで、筒状部２２の装着が可能になる。その後、筒状部２１を引き下げて、下端小径部を筒状部２２内に嵌着するとともに、突起２４と嵌合穴２５を凹凸嵌合させて固定する。さらに、筒状部２２の集水管３に延長管５、６を取り付け、延長管６を側部の取付部材７１によって、貯水槽７に取り付ける（図1 参照）。
【００２２】
なお、切除した既存の竪樋Ｔの一部を延長管５として用いれば、切除片を有効利用でき、廃棄物も生じない。また、ここでは、取り付けを容易にするために、延長管５、６を別体としたが、一体に設けることもできる。また、延長管５、６形状や長さ、貯水槽７への取り付け構造も、貯水槽７の位置や形状等に応じて任意に変更できる。
【００２３】
次に、本発明の竪樋用集水装置１の作動について説明する。
図１は、本発明の集水装置１を、竪樋Ｔに施工した直後の状態を示すもので、貯水槽７は空となっている。開閉部材４は、重り部材４３によって集水管３を開く位置にあり、開閉部材４の左半部が筒状部２２内に突出している。従って、雨天時に、屋根に降った雨水が竪樋Ｔ内を流下すると、筒状部２２内に突出する開閉部材４が雨水を受け、集水管３へ導く。この時、筒状部２１を下端縁が内方を向くように加工したので、雨水が効率よく、開閉部材４上に集水される。
【００２４】
これにより、図７に示すように、雨水が集水管３から延長管５、６を経て流れ、開口部６４から貯水槽７に導入される。貯水量が所定の量に達するまでは（満水前）、この状態が維持される。図８のように、貯水量が延長管６の下部管６３の連通口８４の位置を超えると（満水時）、連通口８４から下部管６３内に雨水が流入して、水位の上昇とともにフロート部材８１を押し上げる。これに伴い、フロート部材８１がワイヤ８を介して開閉部材４を回動させ、集水口２６を閉鎖する。これにより、雨水は集水管３に流入しなくなり、筒状部２２から竪樋Ｔ内を流下して、地上に排水される。貯水量が低下すると、フロート部材８１が再び下降し、開閉部材４は重り部材４３とバネ部材４３´の付勢力によって集水口２６を開放する初期位置に戻る。
【００２５】
このように、本実施の形態では、開閉部材４を常時開とする付勢手段と、満水となった時に自動的に開閉部材４を閉じる集水停止手段を設けて、開閉部材４が貯水量に応じて自動開閉するように構成したので、雨水を取水するために開閉部材４を手動で操作する必要がない。よって、貯水量を監視する必要がなくなり、放置しても雨水が溢れることがないので、雨水を効果的に貯留し有効に活用できる。また、既存の竪樋Ｔに容易に取り付けることができ、業者等に施工を依頼する必要がないので、経済的である。
【００２６】
なお、上記実施の形態では、球状のフロート部材８１を、延長管６の下部管６３内に支持する構成としたが、簡便のため、下部管６３を省略することもできる。この場合には、図９に示すように、Ｊ字管８２に代わる棒状の案内部材７６を設けて取付部材７１に固定し、案内部材７６に沿って複数配設した案内穴７７にワイヤ８を通してある。ワイヤ８の先端は、ペットボトル等からなるフロート部材８１´に固定されている。
【００２７】
この構成においても、貯水量が案内部材７２の下端に達すると、貯水量の上昇とともに、フロート部材８１´が押し上げられる。よって、同様に、ワイヤ８を介して開閉部材４を引っ張り、集水管３を閉じることができる。この構成では、フロート部材８１´を支持する支持部材がないが、この時、フロート部材８１´の重さに応じて開閉部材４に接合する重り部材４３やバネ部材４３´の付勢力を調整することで、開閉部材４に初期位置で閉鎖方向の力が作用しないようにすることが可能である。また、ペットボトル等をフロート部材８１´とすれば、廃物利用になり、交換も容易である。
【００２８】
また、本発明では、開閉部材４を手動で操作したり、貯水量を監視する必要がないので、図１０（ａ）のように、集水装置１を竪樋Ｔの上端部に施工して、通路を確保したり、図１０（ｂ）のように、竪樋Ｔの下端部に施工して、貯水槽７を地中に埋設することもできる。このように、本発明では、集水装置１の竪樋Ｔへの設置部位が制限されず、貯水槽７の設置場所も任意に選択することができる。また、延長管５の長さや形状を調整することで、既存の貯水槽への適用も容易にできる。
【図面の簡単な説明】
【図１】本発明の一実施の形態を示す竪樋用集水装置の全体概略構成図である。
【図２】（ａ）は竪樋用集水装置の要部拡大側面図、（ｂ）は要部拡大正面図である。
【図３】（ａ）は上方の筒状部の拡大側面図、（ｂ）は上方の筒状部の拡大正面図である。
【図４】（ａ）は下方の筒状部の拡大側面図、（ｂ）は下方の筒状部の拡大正面図である。
【図５】（ａ）は延長管の拡大正面図、（ｂ）は延長管の拡大側面図である。
【図６】取付部材の拡大図である。
【図７】本発明の竪樋用集水装置の作動を説明するための図で、貯水槽が満水前の状態を示す図である。
【図８】本発明の竪樋用集水装置の作動を説明するための図で、貯水槽が満水の状態を示す図である。
【図９】本発明の集水停止手段の他の例を示す竪樋用集水装置の主要部概略構成図である。
【図１０】（ａ）、（ｂ）は、本発明の竪樋用集水装置の設置方法の他の例を示す全体概略図である。
【符号の説明】
Ｔ  竪樋
Ｔ１  上方の分離端部
Ｔ２  下方の分離端部
１  竪樋用集水装置
２  筒状本体部
２１  第１の筒状部
２２  第２の筒状部
２６  集水口
２７  貫通穴
３  集水管（集水路）
３２  案内穴（案内部材）
４  開閉部材
４３  重り部材（付勢部材）
４３´  バネ部材（付勢部材）
５  延長管（集水路）
６  延長管（集水路）
７  貯水槽（貯水容器）
７１  取付部材
８  ワイヤ（線状部材）
８１  フロート部材
８２  Ｊ字管（案内部材）
８３  支持部材
【図１】
0003645865.tif 000002
【図２】
0003645865.tif 000003
【図３】
0003645865.tif 000004
【図４】
0003645865.tif 000005
【図５】
0003645865.tif 000006
【図６】
0003645865.tif 000007
【図７】
0003645865.tif 000008
【図８】
0003645865.tif 000009
【図９】
0003645865.tif 000010
【図１０】
0003645865.tif 000011